(57)【要約】      （修正有）【課題】基準点の鉛直トレースを高精度に行える鉛直測定システム及び基準点のトレース方法を提供する。【解決手段】水平方向に回転可能な基準点Ｐに設けられる測量装置を有する測量装置本体７と、基準点Ｐが転写される部位に設置されるターゲット装置３と、表示部と誘導端末５とを具備する鉛直測定システム１であって、ターゲット装置３は測量装置本体７に向ってターゲット光を射出するターゲット４を有し、測量装置本体７は、測量装置本体７の回転軸心方向を視準し、ターゲット４の像を取得する視準像受光部と、演算制御部とを具備し、演算制御部は、測量装置本体７を回転して得られるターゲット４像の軌跡から回転軸心の位置を演算し、ターゲット４像の位置情報と回転軸心の位置情報とを誘導端末５に送信する様構成され、誘導端末５はターゲット４像の位置情報と回転軸心の位置情報に基づきターゲット４の位置、天頂の位置を表示する。【選択図】図１
2019219319.tif 000002
【特許請求の範囲】
【請求項１】
整準部と該整準部に水平方向に回転可能に設けられた測量装置本体とを有し、基準点に設けられる測量装置と、基準点が転写される部位に設置されるターゲット装置と、表示部と第１通信部を有し、前記ターゲット装置側で使用される誘導端末とを具備する鉛直測定システムであって、前記ターゲット装置は、前記測量装置本体に向ってターゲット光を射出するターゲットを有し、前記測量装置本体は、該測量装置本体の回転軸心方向を視準し、前記ターゲットの像を取得する視準像受光部と、前記測量装置本体の傾斜を検出する傾斜センサと、前記誘導端末との間でデータの授受を行う第２通信部と、演算制御部とを具備し、該演算制御部は、前記測量装置本体を回転して得られる前記ターゲット像の軌跡から前記回転軸心の位置を演算し、前記ターゲット像の位置情報と前記回転軸心の位置情報とを前記第２通信部を介して前記誘導端末に送信する様構成され、前記誘導端末は前記第１通信部を介して受信した前記ターゲット像の位置情報と前記回転軸心の位置情報に基づき前記表示部に前記ターゲットの位置、天頂の位置を表示する様構成された鉛直測定システム。
【請求項２】
前記測量装置本体は、前記傾斜センサを更に有し、前記演算制御部は前記傾斜センサの検出結果に基づき前記回転軸心の位置を補正する請求項１に記載の鉛直測定システム。
【請求項３】
前記ターゲットはプリズムであり、前記視準像受光部はターゲット光を光軸上に射出する光源部を有し、前記測量装置本体は手動で回転される請求項１又は請求項２に記載の鉛直測定システム。
【請求項４】
前記演算制御部は、所定時間で時分割し、所定時間毎に前記ターゲット像を取得し、所定時間内に取得した前記ターゲット像のデータを平均化し、又前記演算制御部は所定時間の時間長を変更可能とした請求項１又は請求項２に記載の鉛直測定システム。
【請求項５】
前記ターゲットはプリズムであり、前記測量装置本体は測距部を更に有し、該測距部は光軸上に測距光を射出し、前記ターゲットは測距光を再帰反射し、反射測距光及びターゲット光として射出し、前記測距部は前記反射測距光を受光し、前記ターゲット迄の距離を測定し、前記測量装置本体は手動で回転され、前記演算制御部は、前記ターゲット像と前記光軸との画像上でのズレと測距結果に基づき前記ターゲットと前記光軸間の実際のズレ量を前記表示部に数値で表示させる様構成した請求項１又は請求項２に記載の鉛直測定システム。
【請求項６】
前記ターゲットはターゲット光を発する発光素子であり、前記測量装置本体は手動で回転される請求項１又は請求項２に記載の鉛直測定システム。
【請求項７】
前記測量装置本体は、測距部、視準部、水平角検出器、鉛直角検出器、水平回転駆動部、鉛直回転駆動部を更に具備し、前記測量装置がトータルステーションとして構成された請求項１又は請求項２に記載の鉛直測定システム。
【請求項８】
前記演算制御部は、所定時間で時分割し、所定時間毎に前記ターゲット像、測距値を取得し、所定時間内に取得した前記ターゲット像、測距値のデータを平均化し、又前記演算制御部は所定時間の時間長を変更可能とした請求項５に記載の鉛直測定システム。
【請求項９】
基準点の上方で構造物の階上の床に貫通孔を形成する工程と、測量装置を基準点に設置する工程と、前記貫通孔にターゲット装置を設置する工程と、前記測量装置の視準光軸を鉛直方向に向け、前記測量装置を回転させる工程と、該測量装置により前記ターゲット装置からのターゲット像を受光素子で受光する工程と、受光素子上で前記ターゲット像の軌跡及び前記測量装置の傾斜センサの検出結果に基づき前記基準点に基づき天頂位置を演算する工程と、前記天頂位置及び前記ターゲット像を誘導端末の表示部に表示する工程と、前記天頂位置と前記ターゲット像とを一致させる工程と、前記天頂位置と前記ターゲット像とが一致した状態で、前記ターゲット装置の位置を前記階上の床に刻点する工程と、前記刻点に基づき前記基準点を前記階上の床にトレースする工程とを含む請求項１〜請求項８のいずれかの鉛直測定システムを用いた基準点のトレース方法。
【発明の詳細な説明】
【技術分野】
【０００１】
本発明は、ビル等の構造物を建築する際に、地上の基準点を鉛直に延して各階にトレースする為の鉛直測定システム及び基準点のトレース方法に関するものである。
【背景技術】
【０００２】
従来は、基準点を階の異なる床面にトレースする場合には、下げ振りを階上から垂らし基準点に合わせる方法や、鉛直上方にレーザポインタ光を出し平面板に当て中心位置を読取る方法、階上から鉛直下方にレーザポインタ光を出し平面板に当て中心位置を読取る方法等がある。
【０００３】
レーザポインタ光を照射する方法では、レーザポインタ光が正しく鉛直方向に照射されているかどうかを確認することが困難であると共に、正しく鉛直に調整するのに時間を要する。
【先行技術文献】
【特許文献】
【０００４】
【特許文献１】特開２０００−２７５０４２号公報
【特許文献２】特許第５１９６７２５号公報
【特許文献３】特開平６−２１３６６４号公報
【発明の概要】
【発明が解決しようとする課題】
【０００５】
本発明は、高精度にレーザ光線の鉛直性を求めることなく、基準点の鉛直トレースを高精度に行える鉛直測定システム及び基準点のトレース方法を提供するものである。
【課題を解決するための手段】
【０００６】
本発明は、整準部と該整準部に水平方向に回転可能に設けられた測量装置本体とを有し、基準点に設けられる測量装置と、基準点が転写される部位に設置されるターゲット装置と、表示部と第１通信部を有し、前記ターゲット装置側で使用される誘導端末とを具備する鉛直測定システムであって、前記ターゲット装置は、前記測量装置本体に向ってターゲット光を射出するターゲットを有し、前記測量装置本体は、該測量装置本体の回転軸心方向を視準し、前記ターゲットの像を取得する視準像受光部と、前記測量装置本体の傾斜を検出する傾斜センサと、前記誘導端末との間でデータの授受を行う第２通信部と、演算制御部とを具備し、該演算制御部は、前記測量装置本体を回転して得られる前記ターゲット像の軌跡から前記回転軸心の位置を演算し、前記ターゲット像の位置情報と前記回転軸心の位置情報とを前記第２通信部を介して前記誘導端末に送信する様構成され、前記誘導端末は前記第１通信部を介して受信した前記ターゲット像の位置情報と前記回転軸心の位置情報に基づき前記表示部に前記ターゲットの位置、天頂の位置を表示する様構成された鉛直測定システムに係るものである。
【０００７】
又本発明は、前記測量装置本体は、前記傾斜センサを更に有し、前記演算制御部は前記傾斜センサの検出結果に基づき前記回転軸心の位置を補正する鉛直測定システムに係るものである。
【０００８】
又本発明は、前記ターゲットはプリズムであり、前記視準像受光部はターゲット光を光軸上に射出する光源部を有し、前記測量装置本体は手動で回転される鉛直測定システムに係るものである。
【０００９】
又本発明は、前記演算制御部は、所定時間で時分割し、所定時間毎に前記ターゲット像を取得し、所定時間内に取得した前記ターゲット像のデータを平均化し、又前記演算制御部は所定時間の時間長を変更可能とした鉛直測定システムに係るものである。
【００１０】
又本発明は、前記ターゲットはプリズムであり、前記測量装置本体は測距部を更に有し、該測距部は光軸上に測距光を射出し、前記ターゲットは測距光を再帰反射し、反射測距光及びターゲット光として射出し、前記測距部は前記反射測距光を受光し、前記ターゲット迄の距離を測定し、前記測量装置本体は手動で回転され、前記演算制御部は、前記ターゲット像と前記光軸との画像上でのズレと測距結果に基づき前記ターゲットと前記光軸間の実際のズレ量を前記表示部に数値で表示させる様構成した鉛直測定システムに係るものである。
【００１１】
又本発明は、前記ターゲットはターゲット光を発する発光素子であり、前記測量装置本体は手動で回転される鉛直測定システムに係るものである。
【００１２】
又本発明は、前記測量装置本体は、測距部、視準部、水平角検出器、鉛直角検出器、水平回転駆動部、鉛直回転駆動部を更に具備し、前記測量装置がトータルステーションとして構成された鉛直測定システムに係るものである。
【００１３】
又本発明は、前記演算制御部は、所定時間で時分割し、所定時間毎に前記ターゲット像、測距値を取得し、所定時間内に取得した前記ターゲット像、測距値のデータを平均化し、又前記演算制御部は所定時間の時間長を変更可能とした鉛直測定システムに係るものである。
【００１４】
更に又本発明は、基準点の上方で構造物の階上の床に貫通孔を形成する工程と、測量装置を基準点に設置する工程と、前記貫通孔にターゲット装置を設置する工程と、前記測量装置の視準光軸を鉛直方向に向け、前記測量装置を回転させる工程と、該測量装置により前記ターゲット装置からのターゲット像を受光素子で受光する工程と、受光素子上で前記ターゲット像の軌跡及び前記測量装置の傾斜センサの検出結果に基づき前記基準点に基づき天頂位置を演算する工程と、前記天頂位置及び前記ターゲット像を誘導端末の表示部に表示する工程と、前記天頂位置と前記ターゲット像とを一致させる工程と、前記天頂位置と前記ターゲット像とが一致した状態で、前記ターゲット装置の位置を前記階上の床に刻点する工程と、前記刻点に基づき前記基準点を前記階上の床にトレースする工程とを含む鉛直測定システムを用いた基準点のトレース方法に係るものである。
【発明の効果】
【００１５】
本発明によれば、整準部と該整準部に水平方向に回転可能に設けられた測量装置本体とを有し、基準点に設けられる測量装置と、基準点が転写される部位に設置されるターゲット装置と、表示部と第１通信部を有し、前記ターゲット装置側で使用される誘導端末とを具備する鉛直測定システムであって、前記ターゲット装置は、前記測量装置本体に向ってターゲット光を射出するターゲットを有し、前記測量装置本体は、該測量装置本体の回転軸心方向を視準し、前記ターゲットの像を取得する視準像受光部と、前記測量装置本体の傾斜を検出する傾斜センサと、前記誘導端末との間でデータの授受を行う第２通信部と、演算制御部とを具備し、該演算制御部は、前記測量装置本体を回転して得られる前記ターゲット像の軌跡から前記回転軸心の位置を演算し、前記ターゲット像の位置情報と前記回転軸心の位置情報とを前記第２通信部を介して前記誘導端末に送信する様構成され、前記誘導端末は前記第１通信部を介して受信した前記ターゲット像の位置情報と前記回転軸心の位置情報に基づき前記表示部に前記ターゲットの位置、天頂の位置を表示する様構成されたので、本体を回転することで、基準点の位置を示す回転中心即ち回転軸心が求められ、更に回転軸心の位置と基準点のズレ量、ズレ方向が簡単に認識でき、更にターゲット装置の位置調整時には、前記測量装置本体を固定するので、安定した作業を行うことができる。
【００１６】
又本発明によれば、上記鉛直測定システムを用いた基準点のトレース方法に於いて、基準点の上方で構造物の階上の床に貫通孔を形成する工程と、測量装置を基準点に設置する工程と、前記貫通孔にターゲット装置を設置する工程と、前記測量装置の視準光軸を鉛直方向に向け、前記測量装置を回転させる工程と、該測量装置により前記ターゲット装置からのターゲット像を受光素子で受光する工程と、受光素子上で前記ターゲット像の軌跡及び前記測量装置の傾斜センサの検出結果に基づき前記基準点に基づき天頂位置を演算する工程と、前記天頂位置及び前記ターゲット像を誘導端末の表示部に表示する工程と、前記天頂位置と前記ターゲット像とを一致させる工程と、前記天頂位置と前記ターゲット像とが一致した状態で、前記ターゲット装置の位置を前記階上の床に刻点する工程と、前記刻点に基づき前記基準点を前記階上の床にトレースする工程とを含むので、測量装置の視準光軸を高精度に鉛直とすることなく、又基準点とターゲットとの関係を認識しつつ、ターゲットの位置合せができるので、作業性が向上するという優れた効果を発揮する。
【図面の簡単な説明】
【００１７】
【図１】本発明の第１の実施例に係る鉛直測定システムの概略を示す斜視図である。
【図２】該鉛直測定システムに使用されるターゲット装置の下方からの斜視図である。
【図３】該ターゲット装置の上方からの斜視図である。
【図４】該ターゲット装置の側面図である。
【図５】前記鉛直測定システムに於ける前記ターゲット装置の位置調整を示す説明図である。
【図６】前記鉛直測定システムに於ける測量装置本体の概略構成を示すブロック図である。
【図７】前記鉛直測定システムに於ける誘導端末の概略構成を示すブロック図である。
【図８】（Ａ）（Ｂ）は、基準点の転写工程を示す説明図である。
【図９】（Ａ）（Ｂ）は、基準点の転写工程を示す説明図である。
【図１０】（Ａ）は基準点の転写工程に於ける誘導端末の表示部の図、（Ｂ）は基準点の転写工程の最終の工程を示す説明図である。
【図１１】本発明の第２の実施例に係る鉛直測定システムの概略を示すブロック図である。
【図１２】本発明の第３の実施例に係る鉛直測定システムの概略を示すブロック図である。
【図１３】本発明の第４の実施例に係る鉛直測定システムの概略を示すブロック図である。
【発明を実施するための形態】
【００１８】
以下、図面を参照しつつ本発明の実施例を説明する。
【００１９】
図１は、本実施例に係る鉛直測定システム１を示しており、図中、２は基準点Ｐ上に設置される測量装置であり、測距光を射出し、反射光を受光し、測距測角を行う、図示では測量装置の１つであるトータルステーションを示している。又、３はターゲット装置を示し、該ターゲット装置３は入射した測距光をターゲット光として再帰反射（即ち、射出）するターゲット４を有する。５は誘導端末であり、通信機能、表示部を有し、誘導端末５として、例えば、携帯可能或は片手で保持可能な、スマートフォン、タブレット等が用いられる。
【００２０】
先ず、トータルステーション２について略述する。尚、該トータルステーション２については、特許文献１又は特許文献２等に示される周知の装置を使用することができる。
【００２１】
測量装置本体７は三脚８に整準部９を介して設置され、前記測量装置本体７は前記整準部９によって水平に整準され、水平回転軸（図示せず）を介して水平方向に回転可能となっており、前記測量装置本体７は望遠鏡部１１を有し、該望遠鏡部１１は鉛直回転軸（図示せず）を介して鉛直方向に回転可能となっている。
【００２２】
又前記測量装置本体７は、該測量装置本体７の水平回転角を検出する水平角検出器２８（後述）、及び前記望遠鏡部１１の鉛直角を検出する鉛直角検出器２９（後述）を具備している。又、前記望遠鏡部１１には測距光を射出、反射測距光を受光して測距を行う測距部２２（後述）が内蔵されている。
【００２３】
基準点Ｐが転写される部位には、例えば、階上の床には、貫通孔１３が形成される。該貫通孔１３が形成される位置は、設計図により求められ、前記基準点Ｐの直上となっている。前記貫通孔１３に前記ターゲット４が嵌込まれる様に、前記ターゲット装置３が前記貫通孔１３に設置される。該貫通孔１３の径は、ビルの施工誤差を考慮し、前記ターゲット４の位置調整が可能な様に、該ターゲット４の直径に対して充分な大きさとなっている。
【００２４】
図２〜図４を参照し、前記ターゲット装置３について説明する。
【００２５】
前記ターゲット４は保持プレート１４に設けられ、該保持プレート１４は前記貫通孔１３より落下しない様な形状、大きさとなっており、図示では矩形板１５ａ，１５ｂが直交２方向に延出する十字形状となっている。
【００２６】
前記ターゲット４は、プリズム或はコーナキューブであり、前記保持プレート１４の中心に設けられ、前記ターゲット４の周囲より下方が透視できる様になっている。
【００２７】
前記保持プレート１４の下面が階上の床面に当接し、前記ターゲット４の光学中心（浮上点）４ａは、前記保持プレート１４の下面と合致する。又、前記ターゲット４の光軸は前記保持プレート１４の下面に対して垂直となっている。
【００２８】
前記矩形板１５ａ，１５ｂの先端部上面はテーパ面となっており、該テーパ面には視標線１６ａ，１６ｂが刻印され、該視標線１６ａ，１６ｂの延長は前記光学中心４ａで交差する様に設定されている。
【００２９】
尚、前記視標線１６ａ，１６ｂに代え、前記矩形板１５ａ，１５ｂの先端にノッチが形成されてもよい。又、前記保持プレート１４は、矩形或は円形の透明板であってもよい。
【００３０】
図５は、基準点Ｐを階上に転写する場合の概略を示している。尚、図５中、１７は階上の床を示している。
【００３１】
前記望遠鏡部１１を回転し、前記望遠鏡部１１の光軸１０を概略鉛直とする。
【００３２】
前記望遠鏡部１１より測距光或は視準光（以下、視準光１８とする）を射出する。該視準光１８の照射点が前記基準点Ｐを概略上方に転写した位置となる。
【００３３】
前記視準光１８が前記ターゲット４の前記光学中心４ａに入射すれば、前記ターゲット４からの反射光（ターゲット光）は前記光軸１０と合致する。
【００３４】
合致したかどうかの判断は、前記望遠鏡部１１が有する視準像受光部（後述）によって行う。即ち、視準像受光部が取得する反射光の画像が前記光軸１０に一致したかどうかで判断される。
【００３５】
図６を参照して前記測量装置本体７について更に説明する。
【００３６】
該測量装置本体７は、主に演算制御部２１、測距部２２、視準部２３、視準像受光部２４、傾斜センサ（チルトセンサ）２５、記憶部２６、通信部２７、前記水平角検出器２８、前記鉛直角検出器２９、水平回転駆動部３１、鉛直回転駆動部３２、表示部３３、操作部３４等から構成される。
【００３７】
前記測距部２２は、測距光を発する発光素子、例えば、レーザダイオード（ＬＤ）と、測定対象からの反射測距光を受光する測距受光素子、例えばフォトダイオード（ＰＤ）或はアバランシフォトダイオード（ＡＰＤ）と、測距光を測定対象に向けて射出し、反射測距光を受光し前記測距受光素子に導く測距光学系とを有し、測距光の発光タイミングと、反射測距光の受光タイミングとの時間差と、光速に基づき測定対象迄の距離を測定する。前記測距部２２は、光波距離計として機能する。
【００３８】
前記視準部２３は、視準光を発する発光素子、例えば、レーザダイオード（ＬＤ）と、測定対象からの反射視準光を受光する視準像受光素子、例えばイメージＣＭＯＳセンサ、或はＣＣＤイメージセンサと、測定対象に向けて視準光を射出し、測定対象からの反射視準光を受光する視準像受光部２４と、前記視準像受光素子に導く視準光学系とを具備し、前記視準像受光素子に於ける反射視準光の受光位置に基づき測定対象の視準を行う。ここで、測距光学系、視準光学系は共通の光学系、或は一部が共通の光学系であってもよい。
【００３９】
前記視準像受光部２４は撮像光軸（図示せず）を有し、該撮像光軸は前記測距部２２の測距光軸、前記視準部２３の追尾光軸と平行であり、それぞれの光軸間距離は既知となっている。或は、前記測距光軸、前記視準光軸と共通（２光軸が合致）している。図示では、前記測距光軸、前記視準光軸を前記光軸１０として示している。
【００４０】
前記視準像受光部２４は、撮像光学系、イメージセンサ（図示せず）を備え、前記測距光軸、或は前記視準光軸を中心に所定範囲（所定の画角で）の画像を取得する。又、前記イメージセンサには、ＣＣＤ、ＣＭＯＳセンサ等の画素の集合体、各画素の画像上の位置が特定できる様になっている。例えば、画像の中心を原点とする座標系で位置が特定される様になっている。従って、前記画素から出力される信号は、画像信号と共にイメージセンサ上での位置情報（座標情報）も含んでいる。
【００４１】
前記傾斜センサ２５は、高精度に水平を検出可能となっている。又、前記傾斜センサ２５に使用される１つとしては、液面に検出光を入射し、液面で反射された反射光を受光素子で受光し、反射光の受光位置の変化で傾斜を検出するチルトセンサがある。
【００４２】
前記記憶部２６としては、ＨＤＤ、半導体メモリ、メモリカード等の記憶装置が用いられる。前記記憶部２６には、各種プログラムが格納されている。プログラムとしては、前記測量装置本体７が測距、視準を実行する為に必要なシーケンスプログラム、測距を行う為の演算プログラム、測距部２２、視準部２３を制御する為の制御プログラム、前記測距部２２、前記視準部２３で取得した画像を処理する画像処理プログラム、例えば、前記視準部２３で取得した反射視準光の像の中心位置を求める画像処理プログラム、前記水平角検出器２８、前記鉛直角検出器２９からの検出結果に基づき水平角、鉛直角を演算する角度検出プログラム、前記誘導端末５との間でデータ、画像データの授受を行う通信プログラム等が含まれている。
【００４３】
又、前記記憶部２６には、測定データ、画像データ等が格納される。
【００４４】
前記通信部２７は送受信回路を含み、前記通信プログラムにより前記誘導端末５と無線で通信可能である。
【００４５】
前記水平角検出器２８は、前記測量装置本体７の前記整準部９に対する水平回転角度を検出し、回転角度に基づき水平角が検出される。検出された水平角は前記演算制御部２１に入力される。前記水平角検出器２８としては、エンコーダが用いられる。
【００４６】
前記鉛直角検出器２９は、前記測量装置本体７に対する前記望遠鏡部１１の鉛直回転角度を検出し、前記望遠鏡部１１の前記光軸１０の鉛直角を検出する。検出された鉛直角は前記演算制御部２１に入力される。前記鉛直角検出器２９としては、エンコーダが用いられる。
【００４７】
前記水平回転駆動部３１は、水平モータ、モータドライバを有し、前記演算制御部２１からの制御信号に基づき、水平モータが駆動され、前記測量装置本体７を水平回転する。
【００４８】
前記鉛直回転駆動部３２は、鉛直モータ、モータドライバを有し、前記演算制御部２１からの制御信号に基づき、鉛直モータが駆動され、前記望遠鏡部１１を鉛直回転させる。
【００４９】
前記操作部３４は、測定に必要な条件、測定の為のコマンド等を入力する。又、前記表示部３３は、前記操作部３４の入力情報を表示、又測定状態、測定結果等を表示する。尚、前記操作部３４をタッチパネルとして、操作部３４と表示部３３とを兼用させてもよい。
【００５０】
前記演算制御部２１には、本装置に特化されたＣＰＵ、或は汎用ＣＰＵが用いられる。前記演算制御部２１は、前記記憶部２６に格納された各種プログラムを展開し、又実行して前記測距部２２を制御して測距を行い、前記視準部２３を制御して測定対象の視準を行う。前記水平角検出器２８、前記鉛直角検出器２９の検出結果に基づき前記水平回転駆動部３１、前記鉛直回転駆動部３２を制御して前記測量装置本体７、前記望遠鏡部１１を所要の状態に回転し、位置決めし、或は視準方向を測定する。
【００５１】
図７は、前記誘導端末５の概略構成図を示している。
【００５２】
該誘導端末５は通信機能を有し、主に演算制御部３５、記憶部３６、通信部３７、表示部３８、操作部３９を具備している。
【００５３】
前記演算制御部３５としては、前記誘導端末５に特化されたＣＰＵ、或は汎用ＣＰＵが用いられる。
【００５４】
前記記憶部３６としては、ＨＤＤ、半導体メモリ、メモリカード等の記憶装置が用いられる。前記記憶部３６には、前記測量装置本体７との間でデータ、画像データの通信を行う為の通信プログラム、データ、画像データを前記表示部３８に表示する為の表示プログラム等のプログラムが格納されている。
【００５５】
前記通信部３７は送受信回路を含み、前記通信プログラムにより前記通信部２７と無線で通信可能である。
【００５６】
前記表示部３８は、前記操作部３９からの入力情報、前記通信部２７から送信される、測定データ、画像データを表示する。
【００５７】
前記操作部３９は、前記測量装置本体７を遠隔操作する為の指令を入力し、又前記通信部２７からの情報を表示させる指令を入力する。尚、前記表示部３８をタッチパネルとして前記操作部３９と兼用とし、該操作部３９を省略してもよい。
【００５８】
以下、図８〜図１０を参照して本実施例の作動を説明する。
【００５９】
前記トータルステーション２を基準点Ｐに設置し、前記整準部９により前記測量装置本体７を水平姿勢に整準する。該測量装置本体７の姿勢（傾き）は前記傾斜センサ２５によって検出される。前記ターゲット装置３を階上の貫通孔１３に設置する（図８（Ａ））。
【００６０】
次に、前記ターゲット装置３を設置した作業者により、前記誘導端末５により前記望遠鏡部１１を遠隔操作する。前記望遠鏡部１１を鉛直方向に回転し、該望遠鏡部１１の光軸１０（測距光軸、視準光軸、撮像光軸を含む）を上向き鉛直にする。該光軸１０が鉛直であるかどうかは前記鉛直角検出器２９によって検出される。前記視準像受光部２４は、測量装置本体７の回転軸心方向を視準し、前記ターゲット装置３の像を取得する。
【００６１】
視準光を鉛直上方に射出する。この時の光軸１０は、前記測量装置本体７の回転中心と合致する。前記ターゲット４は測距光を再帰反射し、該ターゲット４からは再帰反射光が射出される。再帰反射光は、前記測距部２２で受光され、前記ターゲット４迄の距離が測定される。又、前記反射測距光はターゲット光として前記視準像受光部２４に入射し、該視準像受光部２４で前記ターゲット４の画像が取得される（図８（Ｂ））。
【００６２】
視準機能を停止させた状態で、測距光を射出した状態（即ち、前記望遠鏡部１１は前記測量装置本体７に対して固定した状態）で、前記測量装置本体７を３６０゜、少なくとも９０゜回転させる。
【００６３】
前記ターゲット４が回転軸心と合致している状態では、前記視準像受光部２４で取得されるターゲット像４′は、回転軸心の位置（即ち、前記測量装置本体７の回転中心）に合致し、前記測量装置本体７の回転により受光位置が変化することはない。
【００６４】
ところが、図９（Ａ）に示される様に、前記ターゲット４の位置（光学中心）が、前記回転軸心１２の位置よりずれている場合は、前記ターゲット像４′は前記回転軸心１２を中心に回転する。尚、図９（Ａ）中、４４は前記視準像受光部２４で得られる画像のイメージを示している。
【００６５】
前記視準像受光部２４により前記測量装置本体７の回転中、継続して前記ターゲット像４′の画像を取得する。尚、連続画像を取得してもよく、或は所定時間間隔、或は所定角度間隔で静止画像を取得してもよい。
【００６６】
回転中、継続してターゲット像４′を取得することで、前記回転軸心１２を中心とする円の軌跡４３が得られる。該軌跡４３から円の中心４２を演算すれば、前記回転軸心１２の位置が求められる。前記光軸１０、即ち測量装置本体７の回転軸心が完全な鉛直であれば、前記軌跡４３の中心４２は天頂位置となる。
【００６７】
前記視準光は完全な平行光ではなく、広がりを有するので、前記ターゲット像４′は面積を有する像となる。正確な位置を求めるには、前記ターゲット像４′の中心が必要となるが、前記ターゲット像４′の中心は画像処理により求める。例えば、前記ターゲット像４′の光量の重心位置を求め、この重心位置を前記ターゲット像４′の中心とする。本実施例では、画像処理で正しい中心位置を求めるので、高層ビル等での作業の様に、基準点からトレース階迄の距離が大きくレーザ光の光束径が大きくなった場合でも、レーザポインタ光の中心を求めることができる。
【００６８】
又、前記トータルステーション２を前記基準点Ｐに設置する際に、前記傾斜センサ２５の検出結果に基づき前記整準部９により前記測量装置本体７の整準を行うが、前記整準部９の整準精度等から、完全な水平に整準されていない状態が発生する。
【００６９】
前記画像４４中の◎（２重丸）Ｐ′は、前記基準点Ｐを通過する鉛直線の位置（真の天頂位置）を示している。
【００７０】
前記傾斜センサ２５が傾斜を検出する場合、該傾斜センサ２５の検出結果に基づき前記演算制御部２１は、前記基準点Ｐ′の画像４４内の位置（座標）を演算する。即ち、前記軌跡４３の中心位置と前記傾斜センサ２５の検出結果に基づき真の天頂位置が求められる。更に、前記基準点Ｐ′は、真の天頂位置を中心として前記画像４４に表示される。
【００７１】
従って、前記ターゲット像４′を前記基準点Ｐ′に合致させれば、前記ターゲット４を真の天頂位置に合わせることができる（図９（Ｂ））。
【００７２】
又、前記演算制御部２１は現在の前記ターゲット像４′の座標を、前記視準像受光部２４からの受光信号に基づき演算する。
【００７３】
前記演算制御部２１は、前記通信部２７を介して、前記基準点Ｐ′の座標及び現在の前記ターゲット像４′の座標を、前記誘導端末５にリアルタイムで送信する。
【００７４】
前記誘導端末５側では、前記演算制御部３５が前記通信部３７を介して受信し、更に前記演算制御部３５は前記基準点Ｐ′の座標、前記ターゲット像４′の座標に基づき、前記誘導端末５の表示部３８に前記基準点Ｐ′、前記ターゲット像４′を表示する。
【００７５】
又、前記測量装置本体７は、前記ターゲット装置３からの反射測距光に基づき該ターゲット装置３の位置を測定できるので、前記演算制御部２１は前記基準点Ｐ′と前記ターゲット像４′間の位置の偏差を演算し、前記表示部３８に表示させてもよい。尚、位置の偏差については、前記演算制御部３５で演算してもよい。位置の偏差が、前記表示部３８に表示されることで作業者は、前記ターゲット装置３の調整量を体感的に把握できるので、作業性が向上する。
【００７６】
又、前記演算制御部２１が前記誘導端末５に送信するデータとしては、前記ターゲット像４′の座標データ、真の天頂位置の座標データでもよく、或は前記ターゲット像４′の座標データ、真の天頂位置の座標データが表記された画像データであってもよい。
【００７７】
尚、図１０（Ａ）では、位置の偏差がＸ＝−５４ｍｍ、Ｙ＝＋３５ｍｍと数値で表示されており、作業者は前記ターゲット装置３を左方向に５４ｍｍ、上方向に３５ｍｍ動かせばよいことを認識できる。尚、図１０（Ａ）中、４９は誘導端末５の表示部を示す。
【００７８】
前記ターゲット４′が前記基準点Ｐ′に合致した状態で、前記視標線１６ａ，１６ｂを利用して４点に刻点する。前記貫通孔１３を埋め、対向する各２点により交差する墨出し線を罫書きし、墨出し線の交点を求める。この交点は、前記基準点Ｐを転写した点となる。
【００７９】
複数階の床に前記基準点Ｐを転写する場合は、各階毎に前記ターゲット装置３の設置、前記ターゲット４の位置合せ、刻点を繰返し、都度若しくは全ての階の刻点が終わった最後に各階の前記貫通孔１３を穴埋めし、墨出し線を罫書きし、墨出し線の交点、即ち基準点Ｐを転写した点を求める（図１０（Ｂ））。
【００８０】
次に、建物は種々の原因で振動している。建設工事中の建物では、建設作業による振動、建物自体の揺れ、或は作業者の移動による振動等が発生する。この為、鉛直に射出するレーザ光線が振動し、前記ターゲット４からの反射レーザ光線も振動し、画像上の前記ターゲット像４′も振動し、正確な位置出しが困難な場合がある。又、測距値、測角値も変動する。
【００８１】
本実施例では、所定時間間隔で時分割し、所定時間内に取得したデータを平均化し、振動による影響を低減する（スムージング）。又、平均化する為のデータ取得時間を任意に設定可能とし、作業状況に応じたスムージングを行える様にする。
【００８２】
前記記憶部２６又は前記記憶部３６に、スムージングプログラムが格納される。該スムージングプログラムでは平均化する為のデータ取得時間（スムージング時間）の設定を行うことで、設定した所定時間に取得したデータを平均（スムージング）して出力する。
【００８３】
例えば、前記視準像受光部２４で０．１秒間隔で画像データを５秒間取得し、５秒間データを取得した後、次の０．１秒で５秒間分の画像データを移動平均化する。移動平均化により、平均化された５秒間分の画像データが０．１秒間隔で出力される。従って、前記画像４４に表示されるターゲット像４′が振動することなく、安定して表示され、作業者も前記ターゲット装置３の位置調整作業を確実に行える。
【００８４】
本実施例では、上方に照射するレーザ光線が完全に鉛直でない場合でも、容易に基準点を鉛直方向に転写できる。従って厳格な整準を要求されない。更に、軌跡４３を取得した後はトータルステーション２を固定して作業が行われるので、レーザ光線が完全に鉛直でない場合、安定した傾斜補正を行うことができる。
【００８５】
更に、前記軌跡４３から回転の中心を求めているので、完全な鉛直が器械誤差、光学系の歪みの影響に起因して得られない場合も同様に、正確な基準点の鉛直トレースが可能である。
【００８６】
作業者は、現場に合わせたスムージングを行うことができ、振動している現場でも確実に作業でき、作業効率が向上する。
【００８７】
尚、上記実施例では、下方から上方階に向って基準点を転写したが、上方から下方階に基準点を転写する場合も同様に実施できることは言う迄もない。
【００８８】
次に、図１１により第２の実施例について説明する。
【００８９】
第２の実施例は、基準点Ｐの転写に特化した鉛直測定システムに関する。
【００９０】
尚、図１１中、図１、図６中で示したものと同等のものには同符号を付しその説明を省略する。又、誘導端末５については第１の実施例と同様であるので図示を省略している。
【００９１】
第２の実施例では、水平回転を手動とし、水平角検出器２８、鉛直角検出器２９、水平回転駆動部３１、鉛直回転駆動部３２を省略し、測距機能を鉛直方向のみに特定し、又追尾機能を省略している。
【００９２】
測量装置４０は、測量装置本体７、整準部９、水平回転機構４１を有し、前記測量装置本体７は前記整準部９に前記水平回転機構４１を介して設けられている。該水平回転機構４１は、前記測量装置本体７を鉛直軸心を中心に回転可能に支持する。
【００９３】
該測量装置本体７は、主に演算制御部２１、測距部２２、視準部２３、視準像受光部２４、傾斜センサ（チルトセンサ）２５、記憶部２６、通信部２７、表示部３３、操作部３４等から構成される。前記視準像受光部２４は鉛直方向に延出する光軸１０を有し、該光軸１０は前記水平回転機構４１の回転軸心１２と同心である。
【００９４】
前記測量装置４０を基準点Ｐに設置し、前記整準部９により前記光軸１０が略鉛直になる様に整準する。前記ターゲット装置３を階上の基準点の転写位置に設置する。
【００９５】
前記測距部２２から測距光を前記光軸１０上に射出し、前記測量装置本体７を手動により回転し、１回転分のターゲット像４′の画像を取得する。得られたターゲット像４′の円の軌跡から中心を求める（図９（Ａ）参照）。この中心は、前記測量装置本体７の回転中心の位置となる。前記傾斜センサ２５が傾斜を検出していれば、この検出結果に基づき前記中心位置を補正し、真の天頂位置を演算する。
【００９６】
円の軌跡中心の算出、傾斜の補正、真の天頂位置の演算については第１の実施例と同様であるので説明を省略する。
【００９７】
図１２は、第３の実施例を示している。尚、図１２中、図１１中で示したものと同等のものには同符号を付してある。又、誘導端末５については第１の実施例と同様であるので図示を省略している。
【００９８】
第３の実施例は、第２の実施例に対して、更に、測距機能を省略したものである。
【００９９】
第３の実施例では、第２の実施例の測量装置本体７の構成で、測距部２２が省略されている。
【０１００】
又、視準像受光部２４は、ターゲット光発光部（レーザダイオード（ＬＤ））（図示せず）を更に有し、該ターゲット光発光部は、ターゲット光を発し、ターゲット光は、前記視準像受光部２４の光学系を介して鉛直上方に射出される。該視準像受光部２４の光軸１０は、水平回転機構４１の回転軸心１２と同心である。
【０１０１】
測量装置４０を基準点Ｐに設置し、整準部９により前記光軸１０が略鉛直になる様に整準し、ターゲット装置３を階上の基準点の転写位置に設置する。
【０１０２】
前記ターゲット光発光部からターゲット光を前記光軸１０上に射出し、前記測量装置本体７を手動により回転し、ターゲット４からのターゲット光により前記視準像受光部２４によりターゲット像４′を取得する。
【０１０３】
円の軌跡中心の算出、傾斜の補正、真の天頂位置の演算については第２の実施例と同様であるので説明を省略する。
【０１０４】
上記、第１の実施例〜第３の実施例に於いてターゲット４としてプリズムを使用しているので、長距離での転写が可能である。
【０１０５】
次に、図１３により第４の実施例を説明する。
【０１０６】
第４の実施例は、基準点Ｐの転写に、更に特化した鉛直測定システムに関する。
【０１０７】
尚、図１３中、図１、図６中で示したものと同等のものには同符号を付しその説明を省略する。又、誘導端末５については第１の実施例と同様であるので図示を省略している。
【０１０８】
第４の実施例では、測距機能、追尾機能を省略し、又測量装置本体７は手動で回転し、又ターゲット装置３を簡略化している。
【０１０９】
前記測量装置本体７は整準部９に水平回転機構４１を介して設けられている。該水平回転機構４１は、前記測量装置本体７を回転軸心１２を中心に回転可能に支持する。
【０１１０】
該測量装置本体７は、主に演算制御部２１、傾斜センサ（チルトセンサ）２５、記憶部２６、通信部２７、表示部３３、操作部３４、視準像受光部としての機能を有する撮像部４５等から構成される。
【０１１１】
該撮像部４５は前記回転軸心１２と同心の光軸１０を有し、該撮像部４５は対物レンズ４６、イメージセンサ４７を有する。尚、前記対物レンズ４６はレンズ群を簡略化して示している。
【０１１２】
前記イメージセンサ４７は、第１の実施例と同様、ＣＣＤ、ＣＭＯＳセンサ等の画素の集合体であり、各画素の画像上の位置が特定できる様になっている。
【０１１３】
前記対物レンズ４６はターゲット装置３から射出されるターゲット光を前記イメージセンサ４７に結像する。
【０１１４】
前記ターゲット装置３は、保持プレート１４と該保持プレート１４の下面中心に設けられた発光素子４８及び該発光素子４８を発光させる発光駆動部（図示せず）、電源（図示せず）を有する。前記発光素子４８の発光点は、前記保持プレート１４の下面内に位置する様に設定される。
【０１１５】
測量装置４０を基準点Ｐに設置し、前記整準部９により前記撮像部４５の光軸が略鉛直になる様に整準する。又、前記ターゲット装置３を階上の基準点の転写位置に設置する。
【０１１６】
前記発光素子４８を点灯する。前記発光素子４８はターゲット光を射出し、ターゲットとして機能する。又、発光素子としては、発光ダイオード（ＬＥＤ）、レーザダイオード（ＬＤ）が用いられる。
【０１１７】
前記イメージセンサ４７により前記発光素子４８のターゲット像４８′を取得する。前記発光素子４８を発光させた状態で前記測量装置本体７を手動により回転し、１回転分の画像を取得する。
【０１１８】
前記撮像部４５の光軸上に前記発光素子４８が位置していれば、前記ターゲット像４８′の位置が変らず回転する。又、前記発光素子４８が前記撮像部４５から外れた位置にあれば、前記ターゲット像４８′は円の軌跡を描く（図９（Ａ）参照）。この円の軌跡の中心（前記回転軸心）を画像から演算して求める。又、前記傾斜センサ２５が傾斜を検出していれば、この検出結果に基づき前記中心位置を補正し、真の天頂位置を演算する。
【０１１９】
真の天頂位置は前記通信部２７を介して前記誘導端末５に送信される。
【０１２０】
前記ターゲット像４８′の中心位置を画像処理で求めること、前記ターゲット装置３の位置調整、画像データのスムージング等については第１の実施例と同様であるので説明を省略する。
【０１２１】
本実施例では、測距機能、追尾機能を省略することで、測距部２２、視準部２３、水平角検出器２８、鉛直角検出器２９等を省略でき、装置が簡略化され、製作コストの大幅な低減ができる。又、ターゲット４８についても、プリズムに代えてＬＤ、ＬＥＤとするのでよりコストの低減が可能である。
【符号の説明】
【０１２２】
１              鉛直測定システム
２              トータルステーション
３              ターゲット装置
４              ターゲット
５              誘導端末
７              測量装置本体
９              整準部
１０            光軸
２１            演算制御部
２２            測距部
２４            視準像受光部
２５            傾斜センサ
２７            通信部
３５            演算制御部
３７            通信部
３８            表示部
【図１】
2019219319.tif 000003
【図２】
2019219319.tif 000004
【図３】
2019219319.tif 000005
【図４】
2019219319.tif 000006
【図５】
2019219319.tif 000007
【図６】
2019219319.tif 000008
【図７】
2019219319.tif 000009
【図８】
2019219319.tif 000010
【図９】
2019219319.tif 000011
【図１０】
2019219319.tif 000012
【図１１】
2019219319.tif 000013
【図１２】
2019219319.tif 000014
【図１３】
2019219319.tif 000015